(57)【要約】      （修正有）【課題】害鳥獣を永続的に忌避し、構造が簡単で安価な鳥獣忌避具を提供する。【解決手段】鳥獣忌避具１０は、収納部１１を有する忌避具本体１２と、上記収納部１１に収納され、発光装置１３とを備える。上記忌避具本体１２は透明な合成樹脂製のシート１４から形成されると共に、上記忌避具本体１２の一方面部１５には、忌避対象の害鳥獣が嫌悪する天敵鳥獣の図絵１６が描かれ、上記収納部１１は、上記忌避具本体１２の一方面部１５にポケット１７として設けられている。上記発光装置１３は、薄板片に形成されたケース部１８と、上記ケース部１８に収納された電池１９から電源供給を受けることによって断続的に発光する複数の発光ダイオード２０ａ、２０ｂ、２０ｃ、２０ｄと、上記ケース部１８に加えられた揺動を検知する揺動検知センサ２１とから形成し、揺動を検知することで断続的に発光させる。【選択図】図１
0003150866.tif 000002
【実用新案登録請求の範囲】
【請求項１】
害鳥獣を忌避することによって、対象物を保護するための鳥獣忌避具であって、
収納部を有する忌避具本体と、上記収納部に収納され、揺動を感知することによって断続的に発光しうる発光装置とを備えることを特徴とする鳥獣忌避具。
【請求項２】
上記忌避具本体は透明な合成樹脂シートから形成されると共に、上記忌避具本体の一方面部には、忌避対象の害鳥獣が嫌悪する天敵鳥獣の図絵が描かれ、
上記収納部は、上記忌避具本体の一方面部にポケットとして設けられていることを特徴とする請求項１記載の鳥獣忌避具。
【請求項３】
上記発光装置は、薄板片に形成されたケース部と、
上記ケース部に収納された電池と、上記電池から電源供給を受けることによって断続的に発光する複数の発光ダイオードと、上記ケース部に加えられた揺動を検知する揺動検知センサとから形成されていることを特徴とする請求項１記載の鳥獣忌避具。
【請求項４】
上記収納部には、異なる色に発光する複数の発光装置が収納されていることを特徴とする請求項１又は２記載の鳥獣忌避具。
【請求項５】
上記忌避具本体には吊り下げ用の紐部材が取り付けられていることを特徴とする請求項２記載の鳥獣忌避具。
【考案の詳細な説明】
【技術分野】
【０００１】
本考案は、田畑若しくはごみ収集場等において、農作物を食べる、若しくはごみを散乱させるといった被害をもたらす害鳥獣を忌避するための鳥獣忌避具に関する。
【背景技術】
【０００２】
田畑に栽培されている農作物は、野生の鳥獣類にとっては良好な餌でもあり、そのまま放置しておくと、栽培している農作物を食い荒らされ、甚大な被害が生じる場合がある。
また、近年都会部においても、カラス等の鳥獣類が繁殖し、生ゴミの収集場所等に集団で飛来し、収集したゴミを散乱させ、悪臭を発生させるといった被害が増大してきている。
【０００３】
害鳥獣を忌避するため、上記害鳥獣の天敵鳥獣又は人間の形状を模した案山子、目玉模様を模した風船等を設置する方法が従来より用いられていた。
上記方法は所定期間においては一定の効果を呈するものの、次第に実害が無いことを害鳥獣が学習し、やがては慣れてしまうことから、忌避効果が低減するという不具合を有していた。
【０００４】
上記不具合を解決するために、害鳥獣の接近を感知するセンサを備え、フラッシュの発光、ブザーの鳴動等によって、上記害鳥獣を脅かすと共に、磁気発生装置を内蔵し、害鳥獣が嫌う異常磁気を発して忌避する鳥獣忌避具が提案されている（特許文献１）。
上記鳥獣忌避具によれば、害鳥獣が接近した場合にのみ発光若しくは鳴動等を行うため、比較的長期間に亘って、飽きられることが無いという利点を有している。
しかしながら、鳥獣の接近を感知するための赤外線センサは一般的に高価であり、また磁気回路、フラッシュ発光のための高圧電源回路等の構造が複雑となることから、製造コストが高くなり、また、多くの電子部品を使用することから、風雨にさらされることで故障し易いという不具合を有していた。
また、フラッシュ発光若しくはブザー鳴動自体は一過性であり、発光、鳴動パタンが決まっていることから、永続的に害鳥獣を忌避することは困難であった。
【先行技術文献】
【特許文献】
【０００５】
【特許文献１】特開２００１−７８６４９号
【考案の概要】
【考案が解決しようとする課題】
【０００６】
本考案の課題は、害鳥獣を永続的に忌避しうると共に、構造が簡単であり製造コストが低い鳥獣忌避具を提供することにある。
【課題を解決するための手段】
【０００７】
上記課題を解決するために、請求項１の考案にかかる鳥獣忌避具は、害鳥獣を忌避することによって、対象物を保護するための鳥獣忌避具であって、収納部を有する忌避具本体と、上記収納部に収納され、揺動を感知することによって断続的に発光しうる発光装置とを備えることを特徴とする。
【０００８】
従って、上記発光装置は、風雨等により極めて不規則かつ断続的に発光する。
【０００９】
また、請求項２の考案にかかる鳥獣忌避具は、上記忌避具本体は透明な合成樹脂シートから形成されると共に、上記忌避具本体の一方面部には、忌避対象の害鳥獣が嫌悪する天敵鳥獣の図絵が描かれ、上記収納部は、上記忌避具本体の一方面部にポケットとして設けられていることを特徴とする。
【００１０】
従って、描かれた天敵鳥獣によって、害鳥獣を忌避すると共に、合成樹脂シートで形成されていることから軽量であり、風雨などの外作用によって揺れ動き易い。
また、収納部がポケットとして形成されていることから、上記発光装置を収納し易い。
【００１１】
また、請求項３の考案にかかる鳥獣忌避具は、上記発光装置は薄板片に形成されたケース部と、上記ケース部に収納された電池と、上記電池から電源供給を受けることによって断続的に発光する複数の発光ダイオードと、上記ケース部に加えられた揺動を検知する揺動検知センサとから形成されていることを特徴とする。
【００１２】
従って、上記発光装置を上記収納部に収納することによって、上記忌避具本体の揺動に連動して上記複数の発光ダイオードが断続的に発光する。
【００１３】
また、請求項４の考案に係る鳥獣忌避具は、上記納部には異なる色に発光する複数の発光装置が収納されていることを特徴とする。
従って、上記発光装置に発光パタンがより複雑となる。
【００１４】
また、請求項５の考案に係る鳥獣忌避具は、上記忌避具本体には吊り下げ用の紐部材が取り付けられていることを特徴とする。
従って、任意の場所に容易に取り付けることが可能となる。
【考案の効果】
【００１５】
請求項１及び３の考案にあっては、収納部を有する忌避具本体と、上記収納部に収納され、揺動を感知することによって断続的に発光しうる発光装置を備えていることから、風雨等の自然現象によって、上記忌避具本体が不規則に揺動するため、上記揺動に合わせ、昼夜を問わず、上記発光装置が不規則且つ断続的に発光を繰り返す。
従って、害鳥獣に飽きられることなく、害鳥獣を長期間に亘って忌避しうる。
また、発光装置は一般的に流通しているものをそのまま適用することが可能であることから、製造コストが低い鳥獣忌避具を提供することにある。
【００１６】
また、請求項２の考案にあっては、請求項１の効果に加え上記忌避具本体は透明な合成樹脂シートから形成されると共に、上記忌避具本体の一方面部には、忌避対象の害鳥獣が嫌悪する天敵鳥獣の図絵が描かれ、上記収納部は、上記忌避具本体の一方面部にポケットとして設けられていることから、軽量であり、わずかな風雨等でも揺動し易く発光頻度がより高くなる。
更に天敵鳥獣の図絵により威嚇効果をも発揮することから、より確実に害鳥獣を忌避することが可能となる。
【００１７】
また、請求項４の考案にあっては、上記納部には異なる色に発光する複数の発光装置が収納されていることから、発光パタンがより複雑となる。
従って、害鳥獣により大きな警戒心を与え、確実に忌避することが可能となる。
【００１８】
また、請求項５の考案にあっては、上記忌避具本体には吊り下げ用の紐部材が取り付けられていることから、樹木、柵等の任意の場所に取り付けることが可能である。
従って、より害鳥獣を忌避し易い場所に、上記鳥獣忌避具を的確に配置することが可能である。
【図面の簡単な説明】
【００１９】
【図１】本考案の一実施の形態を示し、実施の形態において、発光装置を複数収納した状態の鳥獣忌避具の正面図である。
【図２】本考案の一実施の形態を示し、実施の形態における、発光装置の正面図、側面図及び背面図である。
【考案を実施するための形態】
【００２０】
以下図面を用いて本製品の実施の形態について説明する。
図１に示すように、本実施例に係る鳥獣忌避具１０は、収納部１１を有する忌避具本体１２と、上記収納部１１に収納され、揺動を感知することによって断続的に発光しうる発光装置１３とを備えている。
上記忌避具本体１２は透明な合成樹脂製のシート１４から形成されると共に、上記忌避具本体１２の一方面部１５には、忌避対象の害鳥獣が嫌悪する天敵鳥獣の図絵１６が描かれ、上記収納部１１は、上記忌避具本体１２の一方面部１５にポケット１７として設けられている。
また、図２（ａ）に示すように、上記発光装置１３は、薄板片に形成されたケース部１８と、上記ケース部１８に収納された電池１９と、図２（ｃ）に示すように上記電池１９から電源供給を受けることによって断続的に発光する複数の発光ダイオード２０ａ、２０ｂ、２０ｃ、２０ｄと、上記ケース部１８に加えられた揺動を検知する揺動検知センサ２１とから形成されている。
また、図１に示すように、上記収納部１１には、異なる色に発光する複数の
発光装置１３、１３が収納されている。
また、上記忌避具本体１２には吊り下げ用の紐部材２２が取り付けられている。
【実施例】
【００２１】
以下に、本考案を雀等の小型鳥類の忌避に適用した場合を例に、実施例の構成について以下図面を用いて詳述する。
図１は、本実施例に係る鳥獣忌避具１０の忌避具本体１２の正面図である。
図１に示すように、忌避具本体１２は、透明な合成樹脂製のシート１４から形成され、上記シート１４は忌避対象の害鳥獣が嫌悪する天敵鳥獣である猛禽類が羽を広げた状態の輪郭形状と略同一形状となるように切り抜かれ、一方面部１５には上記猛禽類の写真等の図絵１６が描画されている。
また、本実施例においては、収納部１１は上記シート１４の下部にポケット１７として形成され、２つの発光装置１３、１３が収納されている。
また、上記図絵１６の上部には、吊り下げ用の紐部材２２を挿通しうる孔部２３が設けられている。
【００２２】
また、図２（ａ）は発光装置１３の正面図、（ｂ）は側面図、（ｃ）背面図である。
図２（ａ）に示すように、上記発光装置１３のケース部１８は、縦２３ｍｍ×横１７ｍｍ×厚さ５ｍｍの合成樹脂製の小型板片に形成されている。
また、電池１９はボタン電池であり、図２（ｂ）に示すように４つの発光ダイオード２０ａ乃至２０ｄ及び、振動検知センサ２１は基板２４上に配線されている。
また、図２（ｃ）に示すように、上記発光装置１３において、上記基板２４及び上記電池１９は上記ケース部１８の内部に密閉されており、その結果、上記発光装置１３は防水機能及び耐熱機能を供えている。
なお、上記振動検知センサ２１については、例えば圧電素子を用いたもの等公知の技術を用いたものを自由に選択することが可能である。
【００２３】
上記構成における実施例の作用について説明する。
上記鳥獣忌避具１０は、保護する農作物に近接する場所に設置され、樹木の枝、草等の自然物の他、建物、柵等の人工物であっても、上記吊り下げ用紐部材２２の結びつけが可能であれば、任意の場所に取り付けることが可能である。
また、紐部材２２ではなく、フック状の部分に、上記孔部２３を直接掛止して取り付けても良い。
図１に示すように、上記鳥獣忌避具１０の忌避具本体１２は、透明な合成樹脂製のシート１４から形成されていることから、非常に軽量であり、僅かな風、雨であっても常に揺動する。
従って昼夜を問わず、上記発光装置１３の発光ダイオード２０ａ〜２０ｄが不規則且つ断続的に発光し、害鳥獣の接近を忌避し続ける。
また、発光ダイオード２０ａ〜２０ｄを使用していることから消費電力が少なく、より長期間に亘って発光させ続けることが可能となる。
更に、図１に示すように、上記忌避具本体１２の収納部１１には、複数の発光装置１３を収納され、夫々連動せずに個々に発光することから、発光の不規則性がより高くなり、害鳥獣により飽きられ難く、忌避効果が長期間に亘って継続する。
また、図２に示すように、上記発光装置１３は防水及び耐熱機能を有するため、風雨にさらされた場合、及び下記の高温にさらされる場合であっても故障し難い。更に非常に低コストで入手可能であることから、鳥獣忌避具１０の製造コストをより低減することが可能である。
【００２４】
なお、本実施例においては、上記発光装置１３を上記収納部１１に２つ収納した形態として説明したが、必要に応じて、上記発光装置１３の数は適宜調整可能である。
また、忌避具本体１２の大きさ、描画する天敵鳥獣の種類は、忌避対象の害鳥獣に合わせて、適宜変更することが可能である。
また、取り付け方法についても、本実施例に示した吊り下げ用紐部材２２による結びつけ、フック部への掛止の他、両面テープ、釘、画鋲等の手段等を適宜選択することが可能である。
更に、上記収納部１１は、内部に収納した発光装置１３が視認できれば特に設置場所は問わず、また、ポケット１７のように開口部を有するものではなく、
上記発光装置１３を別途の合成樹脂シートで外方から被覆し、上記別途の合成樹脂シートと上記発光装置１３のシート１４をウェルダー溶着等の手段によって溶着することで収納しても、本実施例と同様の作用効果を得ることが可能である。
【産業上の利用可能性】
【００２５】
本考案は、田畑若しくはごみ収集場等において、農作物を食べる、若しくはごみを散乱させるといった被害をもたらす害鳥獣を忌避するための鳥獣忌避具に適用可能である。
【符号の説明】
【００２６】
１０  鳥獣忌避具
１１  収納部
１２  忌避具本体
１３  発光装置
１４  合成樹脂製のシート
１５  忌避具本体の一方面部
１６  天敵鳥獣の図絵
１７  ポケット
１８  発光装置のケース部
１９  発光装置の電池
２０ａ発光装置の発光ダイオード
２０ｂ発光装置の発光ダイオード
２０ｃ発光装置の発光ダイオード
２０ｄ発光装置の発光ダイオード
２１  振動検知センサ
２２  吊り下げ用紐部材
２３  孔部
２４  基板
【図１】
0003150866.tif 000003
【図２】
0003150866.tif 000004